(57)【要約】【課題】本発明は、暗証番号によって回路基板収納ボックスをロックすることで不正にロムを取り替えを防止する回路基板収納ボックス用ロック装置を提供することを目的とするものである。【解決手段】本発明は、ダイヤルロック式錠前２と、このダイヤルロック式錠前２に連結固定される固定式コーナー冠設部３と、ダイヤルロック式錠前２に自在に連結固定可能とされる着脱式コーナー冠設部４とから構成される。【選択図】　　　図１
2004081646.tif 000002
【特許請求の範囲】
【請求項１】
パチンコ・スロット用の回路基板が装着される基台に対し、下端開口縁に接続用開口部が設けられるケースの各コーナーと基台とを互いに締結部材によって固定する回路基板収納ボックスおいて、
数字式複数ダイヤルを有するダイヤルロック式錠前と、
該ダイヤルロック式錠前に連結固定される固定式コーナー冠設部と、
該ダイヤルロック式錠前の設定ダイヤルにより自在に連結固定される着脱式コーナー冠設部とを備える
ことを特徴とする回路基板収納ボックス用ロック装置。
【請求項２】
前記施錠された状態の固定式コーナー冠設部および着脱式コーナー冠設部によりケースの接続用開口部を遮蔽する遮蔽板とを備える
ことを特徴とする請求項１記載の回路基板収納ボックス用ロック装置。
【請求項３】
パチンコ・スロット用の回路基板が装着される基台に対し、下端開口縁に接続用開口部が設けられるケースの一端が枢着される開閉式の回路基板収納ボックスおいて、
数字式複数ダイヤルを有するダイヤルロック式錠前と、
該ダイヤルロック式錠前に連結固定され、かつ前記ケースおよび基台に渡って係止する矩形状係止板と、
該ダイヤルロック式錠前の設定ダイヤルにより自在に連結固定される着脱式矩形状係止板とを備える
ことを特徴とする回路基板収納ボックス用ロック装置。
【請求項４】
前記施錠された状態の矩形状係止板によりケースの接続用開口部を遮蔽する遮蔽板とを備える
ことを特徴とする請求項３記載の回路基板収納ボックス用ロック装置。
【発明の詳細な説明】
【０００１】
【発明の属する技術分野】
本発明は回路基板収納ボックス用ロック装置に関する。詳しくはパチンコ・スロット機に設けられる回路基板収納ボックスのロックを不正に解除することを防止する回路基板収納ボックス用ロック装置に係るものである。
【０００２】
【従来の技術】
従来よりスロット機又はパチンコ機には、コインの払い出し量や出玉量を電子制御する回路基板を収納するボックスが内蔵されている。
【０００３】
この回路基板収納ボックスの主な構造としては図７に示すように、パチンコ機又はスロット機に取付けられる基台１０１に各種制御ロム１０２やＩＣチップ１０３が搭載された回路基板１０４が載置され、この回路基板１０４を覆うように箱状のケース１０５の４角と、回路基板１０４および基台１０１とを重ねた状態で締結ネジ１０６によって締付け固定される。
【０００４】
又図８に示すように一端側が枢着された開閉式の収納ボックス１０７の場合では、回路基板１０４を収納した状態で、収納ボックス１０７の開口端を互いに締結ネジ１０６によって締付け固定される。
【０００５】
そしてそれぞれの収納ボックスには回路基板１０４に搭載されるコネクターにハーネスを連結できるように、コネクター位置にそれぞれ接続用開口部１０８が開設されている。
【０００６】
【発明が解決しようとする課題】
このように近年のコインの払い出し量や出玉量および大当回数は全て回路基板上に搭載される各種ロムで行われるために、閉店後に忍び込んで回路基板収納ボックスのロックを解除してロムを取り替えたり、又は開店中においても回路基板収納ボックスのロックを解除してロムを取り替えて不正にコインの払い出し量や出玉量および大当回数を変更させる問題が生じている。
【０００７】
又回路基板収納ボックスのロックを解除をせずにコネクターに接続されるハーネスと接続用開口部との隙間からロムを取り替えて不正にコインの払い出し量や出玉量および大当回数を変更させる場合もある。
【０００８】
本発明は、以上の点に鑑みて創案されたものであって、暗証番号によって回路基板収納ボックスをロックすることで不正にロムを取り替えを防止する回路基板収納ボックス用ロック装置を提供することを目的とするものである。
【０００９】
【課題を解決するための手段】
上記の目的を達成するために、本発明に係る回路基板収納ボックス用ロック装置は、パチンコ・スロット用の回路基板が装着される基台に対し、下端開口縁に接続用開口部が設けられるケースの各コーナーと基台とを互いに締結部材によって固定する回路基板収納ボックスおいて、数字式複数ダイヤルを有するダイヤルロック式錠前と、該ダイヤルロック式錠前に連結固定される固定式コーナー冠設部と、該ダイヤルロック式錠前の設定ダイヤルにより自在に連結固定される着脱式コーナー冠設部とを備える。
【００１０】
ここで、固定式コーナー冠設部および着脱式コーナー冠設部がケースの各コーナーをロックする締結部材を覆うことによって、ドライバーなどを差しし込むことができず、ロックの解除を不可能とするものである。
【００１１】
更に暗証番号により着脱式コーナー冠設部とダイヤルロック式錠前との連結を解除する機構とすることにより固定式コーナー冠設部および着脱式コーナー冠設部の取り外しが不可能なる。
【００１２】
また、上記の目的を達成するために、本発明に係る回路基板収納ボックス用ロック装置は、パチンコ・スロット用の回路基板が装着される基台に対し、下端開口縁に接続用開口部が設けられるケースの一端が枢着される開閉式の回路基板収納ボックスおいて、数字式複数ダイヤルを有するダイヤルロック式錠前と、該ダイヤルロック式錠前に連結固定され、かつ前記ケースおよび基台に渡って係止する矩形状係止板と、該ダイヤルロック式錠前の設定ダイヤルにより自在に連結固定される着脱式矩形状係止板とを備える。
【００１３】
ここで、ダイヤルロック式錠前に固定連結される矩形状係止板と着脱式の矩形状係止板とによって基台とケースを取り囲むようにロックをすることにより、暗証番号によりダイヤルロック式錠前と着脱式の矩形状係止板との連結を解除することができず、よって回路基板上のロムの不正による取り替えが不可能となる。
【００１４】
【発明の実施の形態】
以下、本発明の実施の形態を図面を参酌しながら説明し、本発明の理解に供する。
【００１５】
図１に、本発明を適用した回路基板収納ボックス用ロック装置の一例を説明するための斜視図、図２に図１における側面説明図を示す。ここで示すロック装置本体１は、ダイヤルロック式錠前２と、このダイヤルロック式錠前２に連結固定される固定式コーナー冠設部３と、ダイヤルロック式錠前２に自在に連結固定可能とされる着脱式コーナー冠設部４とから構成される。
【００１６】
そこでダイヤルロック式錠前２は、４個のダイヤル５に０〜９までの数字が付されたダイヤル５が４個設置されている。
【００１７】
このダイヤル５を回して暗証番号の数字に設定することによりキーレバー６が開錠し、暗証番号の数字を消せばキーレバー６が施錠される構成とする。
【００１８】
ここでキーレバー６は、その中途部がダイヤルロック式錠前２内で枢支され、更にその下端に係止片７が形成されるものである。従ってキーレバー６を左右に回動させることで、その下端の係止片７がダイヤルロック式錠前２の底面より突出自在な機構とする。
【００１９】
また、固定式コーナー冠設部３は一端がダイヤルロック式錠前２の底面にネジ８によって連結固定される連結支持板９と、この連結支持板９の他端にＴ字形状に連結される冠設部１０により構成される。この冠設部１０はケースのコーナーを上下方向に覆うと共に、ケースに設けられる接続用開口部に差込んで係留させるための係留片部１１が折曲形成されるものである。
更に係留片部１１に交叉した状態で接続用開口部をコネクターに接続されるハーネスに支障が無いような状態で遮蔽板１２を設けるものである。
【００２０】
次に着脱式コーナー冠設部４は、一端がダイヤルロック式錠前２の底面に突出するキーレバー６の係止片７に係留する係留用穴１３が一定間隔ごとに複数設けられた連結支持板９と、この連結支持板９の他端に前述した固定式コーナー冠設部３と同様にＴ字形状に連結される冠設部１０により構成される。この冠設部１０はケースのコーナーを上下方向に覆うと共に、ケースに設けられる接続用開口部に差込んで係留させるための係留片部１１が折曲形成されるものである。
更に係留片部１１に交叉した状態で接続用開口部をコネクターに接続されるハーネスに支障が無いような状態で遮蔽板１２を設けるものである。
【００２１】
そこで図３に示すように、回路基板収納ボックス１４は基台１５上に回路基板１６が装着され、この回路基板１６に対してケース１７の各コーナーをネジによって基台１５と締結固定される。
【００２２】
そしてダイヤルロック式錠前２に連結固定される固定式コーナー冠設部３をケース１７の一端側のコーナーを覆うように装着し、他端側のコーナーに対しては着脱式コーナー冠設部４を覆うようにして連結支持板９をダイヤルロック式錠前２の底面に差し込む。この際にケース１６の前後端に形成される接続用開口部１８に対して補助遮蔽板１９を装着した状態で、その両端を固定式コーナー冠設部３および着脱式コーナー冠設部４の冠設部１０によって係止した状態でキーレバー６を操作し連結固定させる。
【００２３】
更にダイヤル５を回すことにより暗証番号が消された番号となりキーレバー６が施錠された状態となる。
【００２４】
以上の構成より成る本発明ではケースの各コーナーを冠設部によって覆われることにより、基台とケースとを締結するネジを完全に遮蔽することとなり、外部からネジを取り外すことが不可能となる。
【００２５】
また、固定式コーナー冠設部および着脱式コーナー冠設部はケースの接続用開口部に対して係留片部が差込まれた状態で係留するためにダイヤルロック式錠前によって施錠された場合には回路基板収納ボックスより取り外すことが不可能となる。
【００２６】
更にケースの接続用開口部に対しては遮蔽板および補助遮蔽板によってハーネスに支障がないように覆われるために、接続用開口部からの不正を防止することが可能となる。
【００２７】
図４に、本発明を適用した回路基板収納ボックス用ロック装置の他の例を説明するための斜視図、図５に図４における側面説明図を示す。ここで示すロック装置本体１は、ダイヤルロック式錠前２と、このダイヤルロック式錠前２に連結固定される矩形状係止板２０と、ダイヤルロック式錠前２に自在に連結固定可能とされる着脱式矩形状係止板２１とから構成される。
【００２８】
そこでダイヤルロック式錠前２は、４個のダイヤル５に０〜９までの数字が付されたダイヤル５が４個設置されている。
【００２９】
このダイヤル５を回して暗証番号の数字に設定することによりキーレバー６が開錠し、暗証番号の数字を消せばキーレバー６が施錠される構成とする。
【００３０】
ここでキーレバー６は、その中途部がダイヤルロック式錠前２内で枢支され、更にその下端に係止片７が形成されるものである。従ってキーレバー６を左右に回動させることで、その下端の係止片７がダイヤルロック式錠前２の底面より突出自在な機構とする。
【００３１】
また、矩形状係止板１７は一端がダイヤルロック式錠前２の底面にネジ８によって連結固定されると共に、開閉式の回路基板収納ボックスのケースから基台の底部に渡って係止できるよう矩形状に折曲形成される。
【００３２】
更に着脱式矩形状係止板２０は、一端がダイヤルロック式錠前２の底面に突出するキーレバー６の係止片７に係留する係留用穴１３が一定間隔ごとに複数設けられると共に、矩形状係止板１９と同様に開閉式の回路基板収納ボックスのケースから基台の底面に渡って係止できるよう矩形状に折曲形成される。
【００３３】
そこで図６に示すように、開閉式の回路基板収納ボックス１４は基台１５上に回路基板１６が装着され、この回路基板１６に対してケース１７の一端を枢支し、他端側をネジによって基台１５とが締結固定される。
【００３４】
そしてダイヤルロック式錠前２に連結固定される矩形状係止板２０をケース１７から基台１５の底面に渡って嵌合するように装着し、着脱式矩形状係止板２１も同様にその一端をダイヤルロック式錠前２の底面に差し込むながら矩形状係止板２０と対称状となるように基台１５の底面に渡って嵌合するように装着する。
【００３５】
この際にケース１７の前後端に形成される接続用開口部１８に対して補助遮蔽板１９を装着した状態で、これらの補助遮蔽板１９を矩形状係止板２０および着脱式矩形状係止板２１よって係止した状態でキーレバー６を操作し連結固定させる。
【００３６】
更にダイヤル５を回すことにより暗証番号が消された番号となりキーレバー６が施錠された状態となる。
【００３７】
以上の構成より成る本発明ではケースおよび基台を矩形状係止板および着脱式矩形状係止板によって巻回すようような状態でロックすることにより、ケースを開き不正を行うことが不可能となる。
【００３８】
更にケースの接続用開口部に対しては補助遮蔽板によってハーネスに支障がないように覆われるために、接続用開口部からの不正が不可能となる。
【００３９】
ここで、ダイヤルロック式錠前のダイヤルは必ずしも４個により形成される必要性は無く、容易にロックが解除することができないものであれば３個あるいは２個であっても良い。また、暗証番号は定期的に変えることができるようダイヤルロック式錠前に暗証番号設定機能を設けた構成とすることが好ましい。
【００４０】
また、固定式コーナー冠設部および着脱式コーナー冠設部、矩形状係止板および着脱式矩形状係止板は各種パチンコ・スロット機に応じた回路基板収納ボックスに対応できるような構成とするものである。
【００４１】
【発明の効果】
以上述べて来た如く本発明によれば、ダイヤルロック式錠前と固定式コーナー冠設部および着脱式コーナー冠設部、矩形状係止板および着脱式矩形状係止板との組み合わせにより、ロムが搭載された回路基板が収納される回路基板収納ボックスを完全にロックすることが可能となり、ロムの交換などの不正を防止することが可能となる。
【００４２】
また、ダイヤルロック式錠前は暗証番号設定によるロックの解除により、各機種の回路基板収納ボックスのロックが異なるものとなり、一度に多数の不正が行えないこととなる。
【図面の簡単な説明】
【図１】本発明を適用した回路基板収納ボックス用ロック装置の一例を説明するための斜視図である。
【図２】図１における側面説明図である。
【図３】本発明を適用した回路基板収納ボックス用ロック装置の一例の使用状態を示す説明図である。
【図４】本発明を適用した回路基板収納ボックス用ロック装置の他の例を説明するための斜視図である。
【図５】図４における側面説明図である。
【図６】本発明を適用した回路基板収納ボックス用ロック装置の他の例の使用状態を示す説明図である。
【図７】回路基板収納ボックスの一例を示す説明図である。
【図８】回路基板収納ボックスの他の例を示す説明図である。
【符号の説明】
１　　　ロック装置本体
２　　　ダイヤルロック式錠前
３　　　固定式冠設部
４　　　着脱式冠設部
５　　　ダイヤル
６　　　キーレバー
７　　　係止片
８　　　ネジ
９　　　連結支持部
１０　　冠設部
１１　　係留片部
１２　　遮蔽板
１３　　係留用穴
１４　　回路基板収納ボックス
１５　　基台
１６　　回路基板
１７　　ケース
１８　　接続用開口部
１９　　補助遮蔽板
２０　　矩形状係止板
２１　　着脱式矩形状係止板
【図１】
2004081646.tif 000003
【図２】
2004081646.tif 000004
【図３】
2004081646.tif 000005
【図４】
2004081646.tif 000006
【図５】
2004081646.tif 000007
【図６】
2004081646.tif 000008
【図７】
2004081646.tif 000009
【図８】
2004081646.tif 000010